(57)【要約】      （修正有）【課題】記録媒体を前面パネルユニットの記録媒体挿入口に確実にかつ容易に挿入することのできる情報再生装置の提供。【解決手段】前面パネルユニット４０の上方に隙間Ｓをもって配置された可動支持部材２０が表示パネルユニット１０を略平行状態で支持しつつ収納筐体１００から進出し、表示パネルユニット１０が回動して起立状態となるようにしたディスク装置であって、前面パネルユニット４０には、ディスク挿入口４１からディスクドライブメカユニット３０に向かって延びる導入路４４が形成され、導入路４４の上面板部４２が、ディスク挿入口４１を通常位置と、隙間Ｓに先端部分が突出してディスク挿入口４１を拡開させる拡開位置との間で回動自在となり、可動支持部材２０が進出する際に上面板部４２を通常位置から拡開位置に回動させる回動機構（２１、２２、４５、４６）を有する。【選択図】図２
2007058971.tif 000002
【特許請求の範囲】
【請求項１】
収納筐体と、
前記収納筐体の前端部に設けられ、記録媒体挿入口の形成された前面パネルユニットと、
前記収納筐体内の前記前面パネルユニットの背後に設けられた記録媒体装填部と、
表示パネルユニットと、
前記前面パネルユニットより上方に所定の隙間をもって前記収納筐体から前方に進出可能に設けられ、先端部にて前記表示パネルユニットの下端部を回動自在に支持する可動支持部材とを有し、前記可動支持部材が前記表示パネルユニットを略平行状態で支持しつつ前記収納筐体から進出し、前記表示パネルユニットが回動して起立状態となるようにした情報再生装置であって、
前記前面パネルユニットには、前記記録媒体挿入口から前記記録媒体装填部に向かって延びる導入路が形成され、該導入路の上面板部が、前記記録媒体挿入口を所定広さに維持する通常位置と、前記隙間に突出して前記記録媒体挿入口を拡開させる拡開位置との間で移動自在となり、
前記可動支持部材が前記収納筐体から進出する際に前記導入路の上面板部を前記通常位置から前記拡開位置に移動させる拡開機構を有することを特徴とする情報再生装置。
【請求項２】
前記上面板部は、その後端部が前記前面パネルユニットの幅方向に延びる軸にて回動自在に支持され、
前記拡開機構は、前記可動支持部材と共に移動するカムブロックと、前記軸に装着された従動カム部材とを有し、前記可動支持部材が前記収納筐体から進出する際に前記カムブロックが前記従動カム部材に当接して当該従動カム部材を回動させることにより前記上面板部をその先端部分が前記隙間に突出する前記拡開位置に回動させることを特徴とする請求項１記載の情報再生装置。
【請求項３】
前記従動カム部材は、前記軸を挟んで前記上面板部と逆側に延びる板状部材となり、前記カムブロックが前記従動カム部材の上側から当接して押し下げ回動させることにより前記上面板部を前記拡開位置に回動させることを特徴とする請求項２記載の情報再生装置。
【請求項４】
前記従動カム部材は、前記軸に装着される装着部と該装着部から延びて前記パネルユニットの背面から突出するレバー部とを有し、前記カムブロックが前記前面パネルユニットの前記背面に当接することにより前記レバー部を前記背面から前記前面パネルユニットの内方に押し込んで前記従動カム部材を回動させることにより前記上面板部を前記拡開位置に回動させることを特徴とする請求項２記載の情報再生装置。
【請求項５】
前記可動支持部材は、前記進出方向に延びる溝部を有し、
前記カムブロックは、前記溝部に摺動自在に収納され、
前記カムブロックを前記溝部の前端に付勢する弾性部材を有することを特徴とする請求項２乃至４のいずれかに記載の情報再生装置。
【発明の詳細な説明】
【技術分野】
【０００１】
本発明は、収納筐体の前端部に設けられ記録媒体挿入口の形成された前面パネルユニットと、前記前面パネルユニットの上方に所定の隙間をもって当該収納筐体から前方に進出可能となる可動支持部材と、該可動支持部材に回動自在に支持された表示パネルユニットとを有し、前記可動支持部材と共に前記収納筐体から前方に進出する表示パネルユニットを回動させて起立状態にして使用するようにした情報再生装置に関する。
【背景技術】
【０００２】
従来、ＤＶＤ、ＣＤ、ＭＤ等のディスク状記録媒体（以下、単にディスクという）を用いる車載用のオーディオ装置やナビゲーション装置等のディスク装置において、収納筐体の前端部に設けられディスク挿入口の形成された前面パネルユニットの上方に所定の隙間をもって当該収納筐体から前方に進出可能となる可動支持部材に支持された表示パネルユニットを有し、前記可動支持部材と共に前記収納筐体から進出する表示パネルユニットを回動させて起立状態にして使用されるものが知られている。このようなディスク装置では、装置自体の薄型化が図られ、前面パネルユニットの形成されるディスク挿入口と前面パネルユニットとその上方にて進出動する可動支持部材との隙間とが接近する傾向にある。
【０００３】
このような状況において、可動支持部材が収納筐体から進出して表示パネルユニットが起立状態となった場合に前記表示パネルユニットが前面パネルユニットの前方かつ上方に位置することから、前記表示パネルユニットの下端部の陰になって前面パネルユニットに形成されたディスク挿入口が視認し難くなる傾向にある。このため、ディスク挿入口に挿入すべきディスクを当該ディスク挿入口に接近した表示パネルユニットと可動支持部材との隙間に誤って挿入してしまう可能性が高くなる。
【０００４】
そこで、可動支持部材が収納筐体から進出する際に、該可動支持部材（可動ベース）から前記隙間に挿入防止部材を突出させるようにしたディスク装置が提案されている（例えば、特許文献１参照）。このようなディスク装置によれば、可動支持部材が収納筐体から進出して表示パネルユニットが起立状態となる場合に前面パネルユニットと可動支持部材との間の隙間に誤ってディスクを挿入しようとしてもそのディスクが挿入防止部材に突き当たるので、それ以上ディスクが前記隙間の奥に挿入されることを防止することができる。
【特許文献１】特開２００５−１４５６号公報
【発明の開示】
【発明が解決しようとする課題】
【０００５】
しかしながら、前述したような従来のディスク装置では、利用者が表示パネルユニットの下端部を支持する可動支持部材と前面パネルユニットとの間の隙間にディスクを誤って挿入したことに気づかずにそのディスクを無理やり挿入しようとすると、ディスクを破損してしまうおそれがある。このため、依然、視認し難いディスク挿入口を慎重に見極めてディスクの挿入を行なわなければならず、ディスク挿入操作がし難いものとなっていた。
【０００６】
本発明は、このような従来の問題を解決するためになされたもので、前面パネルユニットの前方かつ上方にて表示パネルユニットが起立状態となっている際に、記録媒体を前面パネルユニットに形成された記録媒体挿入口に確実にかつ容易に挿入することのできる情報再生装置を提供するものである。
【課題を解決するための手段】
【０００７】
本発明に係る情報再生装置は、収納筐体と、前記収納筐体の前端部に設けられ、記録媒体挿入口の形成された前面パネルユニットと、前記収納筐体内の前記前面パネルユニットの背後に設けられた記録媒体装填部と、表示パネルユニットと、前記前面パネルユニットより上方に所定の隙間をもって前記収納筐体から前方に進出可能に設けられ、先端部にて前記表示パネルユニットの下端部を回動自在に支持する可動支持部材とを有し、前記可動支持部材が前記表示パネルユニットを略平行状態で支持しつつ前記収納筐体から進出し、前記表示パネルユニットが回動して起立状態となるようにした情報再生装置であって、前記前面パネルユニットには、前記記録媒体挿入口から前記記録媒体装填部に向かって延びる導入路が形成され、該導入路の上面板部が、前記記録媒体挿入口を所定広さに維持する通常位置と、前記隙間に突出して前記記録媒体挿入口を拡開させる拡開位置との間で移動自在となり、前記可動支持部材が前記収納筐体から進出する際に前記導入路の上面板部を前記通常位置から前記拡開位置に移動させる拡開機構を有する構成となる。
【０００８】
このような構成により、可動支持部材が収納筐体から進出する際に前面パネルユニットに記録媒体挿入口から記録媒体装填部に向かって延びるように形成された導入路の上面板部が拡開機構により通常位置から拡開位置に移動させられる。また、収納筐体から進出する前記可動支持部材の先端部に回動自在に支持される表示パネルユニットは回動して起立状態となる。拡開位置にある上面板部は前記可動支持部材と前面パネルユニットとの間の隙間に突出しているので、前記隙間に誤って挿入された記録媒体は、前記拡開位置にある上面板部に沿って前記導入路を記録媒体装填部に向けて進み得る。
【０００９】
また、本発明に係る情報再生装置において、前記上面板部は、その後端部が前記前面パネルユニットの幅方向に延びる軸にて回動自在に支持され、前記拡開機構は、前記可動支持部材と共に移動するカムブロックと、前記軸に装着された従動カム部材とを有し、前記可動支持部材が前記収納筐体から進出する際に前記カムブロックが前記従動カム部材に当接して当該従動カム部材を回動させることにより前記上面板部をその先端部分が前記隙間に突出する前記拡開位置に回動させる構成とすることができる。
【００１０】
このような構成により、可動支持部材が収納筐体から進出する際に、前面パネルユニットに形成された導入路の上面板部材を回動自在に支持する軸に装着された従動カム部材に前記可動支持部材と共に移動するカムブロックが当接して前記従動カム部材が回動させられ、その結果、前記従動カム部材と同軸となる前記導入路の上面板部材が拡開位置に回動させられる。
【００１１】
また、本発明に係る情報再生装置において、前記従動カム部材は、前記軸を挟んで前記上面板部と逆側に延びる板状部材となり、前記カムブロックが前記従動カム部材の上側から当接して押し下げ回動させることにより前記上面板部を前記拡開位置に回動させる構成とすることができる。
【００１２】
このような構成により、可動支持部材が収納筐体から進出する際に、板状部材となる従動カム部材にカムブロックが上側から当接して当該従動カムブロックが押し下げ回動させられ、その結果、前記従動カム部材と同軸となる導入路の上面板部材が拡開位置に回動させられる。
【００１３】
また、本発明に係る情報再生装置において、前記従動カム部材は、前記軸に装着される装着部と該装着部から延びて前記パネルユニットの背面から突出するレバー部とを有し、前記カムブロックが前記前面パネルユニットの前記背面に当接することにより前記レバー部を前記背面から前記前面パネルユニットの内方に押し込んで前記従動カムを回動させることにより前記上面板部を前記拡開位置に回動させる構成とすることができる。
【００１４】
このような構成により、可動支持部材が収納筐体から進出する際に、前記可動支持部材と共に移動するカムブロックが前面パネルユニットの背面に当接すると、前記前面パネルユニットの背面から突出する従動カム部材のレバー部が前記カムブロックによって前記前面パネルユニットの内方に押し込まれて当該従動カム部材が回動させられ、その結果、前記従動カム部材と同軸となる導入路の上面板部材が拡開位置に回動させられる。
【００１５】
更に、本発明に係る情報再生装置において、前記可動支持部材は、前記進出方向に延びる溝部を有し、前記カムブロックは、前記溝部に摺動自在に収納され、前記カムブロックを前記溝部の前端に付勢する弾性部材を有する構成とすることができる。
【００１６】
このような構成により、可動支持部材が収納筐体から進出する際に、カムブロックが従動カム部材に当接して当該従動カム部材を回動させて前面パネルユニットにおける導入路の上面板部材が拡開位置に回動した後に、前記カムブロックの前記従動カム部材への当接状態が弾性部材の付勢によって維持されつつ、前記カムブロックが前記溝部を摺動することにより前記可動支持部材および前記表示パネルユニットが前記弾性部材の付勢力に抗して更に進出することができるようになる。
【発明の効果】
【００１７】
本発明に係る情報再生装置によれば、可動支持部材が収納筐体から進出する際に、前面パネルユニットに記録媒体挿入口から記録媒体装填部に向かって延びるように形成された導入路の上面板部材が拡開位置に移動し、当該上面板部の先端部が可動支持部材と前面パネルユニットとの間の隙間に突出して前記記録媒体挿入口が拡開するようになる。このため、可動支持部材の先端部に回動自在に支持された表示パネルユニットが起立状態となって前面パネルユニットに形成された記録媒体挿入口が見難いために誤って可動支持部材と前面パネルユニットとの間の隙間に記録媒体を挿入しようとしても、その記録媒体は拡開した記録媒体挿入口に確実に挿入されるようになる。即ち、記録媒体挿入口が拡開するため、利用者は可動支持部材と前面パネルユニットとの間の隙間を特に気にすることなく、容易にかつ確実に記録媒体を前面パネルユニットに形成された記録媒体挿入口に挿入することができるようになる。
【発明を実施するための最良の形態】
【００１８】
以下、本発明の実施の形態について、図面を用いて説明する。
【００１９】
本発明の第１の実施の形態に係るディスク装置は、図１乃至図３に示すように構成される。なお、図１は、可動支持部材が進出動している状態となるディスク装置を示す平面図（ａ）及び正面図（ｂ）であり、図２は、可動支持部材が進出動している状態となるディスク装置を示す側断面図（ａ）及びＡ１部の拡大図（ｂ）であり、図３は、導入路を構成する上面板部の回動機構を示す背面図（ａ）、可動支持部材におけるカムブロックの配置構成を示す側断面図（ｂ）、可動支持部材におけるカムブロックの配置構成を示す縦断面図（ｃ）である。
【００２０】
図１及び図２（ａ）において、この情報再生装置としてのディスク装置は、収納筐体１００、表示パネルユニット１０、可動支持部材２０、ディスクドライブメカユニット３０（記録媒体装填部）及び前面パネルユニット４０（ノーズ部）を有している。前面パネルユニット４０は、収納筐体１００の下段側の前端部に設けられている。前面パネルユニット４０の前面には、各種の操作釦等が設けられると共にその上端縁に沿って所定幅のディスク挿入口４１（記録媒体挿入口）が形成されている。収納筐体１００の前面パネルユニット４０の背後に、記録媒体であるディスクを駆動させるディスクドライブメカユニット３０が設けられている。
【００２１】
収納筐体１００の上段側には前後方向に進退動可能となる可動支持部材２０が設けられ、可動支持部材２０の先端部に表示パネルユニット１０の下端部が回動自在に支持されている。収納筐体１００において、可動支持部材２０は、表示画面１０ａを下方に向ける表示パネルユニット１０を略水平状態にて支持しつつ進退動する。このような表示パネルユニット１０を支持した可動支持部材２０の収納筐体１００での前後方向の進退動を可能にすべく、可動支持部材２０及び略水平状態の表面パネルユニット１０は、前面パネルユニット４０及びディスクドライブメカユニット３０の上方に所定の隙間Ｓをもって配置されている。
【００２２】
前面パネルユニット４０には、図２（ｂ）に示すように、ディスク挿入口４１からディスクドライブメカユニット３０に向かって延びる導入路４４が形成されている。この導入路４４は、上下に配置された上面板部４２及び下面板部４３にて形成され、上面板部４２及び下面板部４３の前端縁にてディスク導入口４１の上下縁が形成される。上面板部４２の後端部は、前面パネルユニット４０の幅方向に延びる軸４５によって回動自在に支持されている。また、図３（ａ）に示すように、上面板部４２を支持する軸４５は上面板部４２の幅方向（図３（ａ）における左方向）に延長されており、軸４５のその延長部分に従動カム部材４６が装着されている。従動カム部材４６は、図２（ｂ）に示すように、軸４５を挟んで上面板部４２と逆側に延びる板状部材となっている。
【００２３】
軸４５には更に捩りバネ４７が装着されており（図３（ａ）参照）、上面板部４２が所定のストッパ（図示略）に押圧されるように図２（ｂ）における反時計方向に回動付勢されている。これにより、上面板部材４２は、前面パネルユニット４０の上面と略平行となってディスク挿入口４１が所定の広さ（図１（ｂ）参照）となる通常位置に維持される。また、このように上面板部４２が捩りバネ４７により回動付勢されることにより、当該ディスク装置が車両に搭載されるものであっても、振動によるラットルノイズが防止される。
【００２４】
図１（ａ）及び図３（ｂ）に示すように、可動支持部材２０の側面に沿ってその進退動方向に延びる溝部２７が形成され、この溝部２７にカムブロック２１が摺動自在に収納されると共にカムブロック２１を溝部２７の前端に付勢するスプリング２２（弾性部材）が設けられている。可動支持部材２０の溝部２７に収納されるカムブロック２１は、可動支持部材２０の下面より更に下方に突出し、その突出する部分の先端の角が湾曲した形状となっている。更に具体的には、図３（ｃ）に示すように、可動支持部材２０の底壁の壁部分２０ａ、２０ｂ、２０ｃが断面コ字状に折り曲げ形成されることにより溝部２７が形成され、溝部２７の上面となる壁部分２０ｂとその外側面となる壁部分２０ｃとに長手方向に長孔２３、２４が形成されている。そして、カムブロック２１の上面から突出する支持プレート２５が長孔２３に嵌り込み、カムブロック２１の外側面から突出する支持プレート２６が長孔２４に嵌り込んでいる。これにより、支持プレート２５、２６が長孔２３、２４にガイドされつつカムブロック２１が溝部２７において摺動可能となる。
【００２５】
前述した従動カム部材４６は、図３（ａ）に示すように、可動支持部材２０と一体的に進退動するカムブロック２１の移動軌跡上に配置されている。これにより、可動支持部材２０が進出動する際に、カムブロック２１の湾曲部分が従動カム部材４６の上面に当接するようになる。
【００２６】
前述したような構造のディスク装置において、先端部にて表示パネルユニット１０を略水平状態にて支持する可動支持部材２０が収納筐体１００の奥方から前方に向けて進出する過程で、可動支持部材２０と一体的に移動するカムブロック２１が従動カム部材４６に達する。そして、図４及び図５に示すように、カムブロック２１の湾曲した先端部が板状の従動カム部材４６の上側から当接し、スプリング２２によって前方に付勢されるカムブロック２１が捩りバネ４７の回動付勢に抗して従動カム部材４６を押し下げ回動させる。その結果、図４（ｂ）（図４（ａ）のＡ２部の拡大図）に詳細に示すように、従動カム部材４６と同軸（軸４５）となる上面板部４２が回動して（図５も参照）その先端部が前面パネルユニット４０と可動支持部材２０との間の隙間Ｓに突出する拡開位置となる。
【００２７】
これにより、上面板部４２及び下面板部４３にて形成される導入路４４前面のディスク挿入口４１が拡開する。この状態で、更に可動支持部材２０が進出すると、図６（ｂ）（図６（ａ）におけるＡ３部の拡大図）に示すように、従動カム部材４６に当接して移動の阻止されたカムブロック２１が、Ｃ１方向に進出する可動支持部材２０に形成された溝部２７内をスプリング２２による付勢力に抗してＣ２方向に摺動する。これにより、導入路４４を形成する上面板部４２が拡開位置に維持されつつ可動支持部材２０および表示パネルユニット１０が進出していく。そして、可動支持部材２０が収納筐体１００の前方所定位置に達すると、図６（ａ）及び図７に示すように、可動支持部材２０の先端部に回動自在に支持された表示パネルユニット１０が回動して表示画面１０ａを前方に向けた起立状態となる。なお、表示パネルユニット１０は、可動支持部材２０の進出力を利用して回動する機構（図示略）または可動支持部材２０の駆動源とは別の駆動源によって回動する機構（図示略）を有している。
【００２８】
このようにして表示パネルユニット１０が起立状態になると、導入路４４の上面板部４２が拡開位置となってディスク挿入口４１が拡開された状態となるので（図６（ｂ）、図７（ｂ）参照）、利用者が誤ってディスクを前面パネルユニット４０と表示パネルユニット１０の下端部（可動支持部材２０）との間の隙間Ｓに挿入しようとしても、そのディスクは上面板部４２に沿って導入路４４をディスクドライブメカユニット３０に向けて進み、適正にディスクドライブメカユニット３０に装填されるようになる。即ち、利用者は、起立状態となった表示パネルユニット１０により前面パネルユニット４０に形成されたディスク挿入口４１が見難い状態であっても、容易にかつ確実にディスクを拡開されたディスク挿入口４１に挿入できるようになる。
【００２９】
ディスクドライブメカユニット３０に装填されたディスクは、スピンドルモータ（図示略）によって回転駆動され、ピックアップによってその情報が再生され、または情報が記録される。
【００３０】
次に、本発明の第２の実施の形態に係るディスク装置について説明する。
【００３１】
本発明の第２の実施の形態に係るディスク装置は、図８及び図９に示すように構成される。なお、図８は、可動支持部材が進出動している状態となるディスク装置を示す平面図（ａ）及び正面図（ｂ）であり、図９は、可動支持部材が進出動している状態となるディスク装置を示す側断面図（ａ）及びＡ４部の拡大図（ｂ）である。本発明の第２の実施の形態に係るディスク装置は、カムブロック２１及び従動カム部材４６に代えて新たなカムブロック２１０及び従動カム部材５６を設けた点で本発明の第１の実施の形態に係るディスク装置と異なる。
【００３２】
図８及び図９（ａ）において、このディスク装置は、前述した第１の実施の形態に係るディスク装置と同様に、可動支持部材２０及びディスクドライブメカユニット３０が収納筐体１００内に収納され、前面パネルユニット４０が収納筐体１００の前端部に装着されており、また、可動支持部材２０の先端部に表示パネルユニット１０の下端部が回動自在に支持されている。また、前面パネルユニット４０にはディスク挿入口４１が形成されると共にディスク挿入口４１からディスクドライブメカユニット３０に向けて延びる導入路４４が形成されている。この導入路４４は、上下に配置された上面板部４２及び下面板部４３にて形成されている。また、上面板部４２の後端部が軸４５によって回動自在に支持され、軸４５に装着された捩りバネ４７（図１０参照）によって上面板部４２が通常位置に維持されている。
【００３３】
図１０に示すように、上面板部４２の幅方向に延長される軸４５の当該延長部分に従動カム部材５６が装着されている。従動カム部材５６は、軸４５に嵌合固定された装着部５６ａと装着部５６ａから斜め下方に延びるレバー部５６ｂによって構成されている。そして、レバー部５６ｂの先端部分が図９（ｂ）に示すように前面パネルユニット４０の背面から突出するようになっている。
【００３４】
可動支持部材２０にはその側面に沿って進退動方向に延びる溝部２７が形成され、その溝部２７に、前述したのと同様に（図３（ａ）、図３（ｃ）参照）、カムブロック２１０が摺動自在に収納されると共にカムブロック２１０を溝部２７の前端に付勢するスプリング２２が設けられている。従動カム部材５６は、図１０に示すように、可動支持部材２０と一体的に進退動するカムブロック２１０の移動軌跡上に配置され、カムブロック２１０の可動支持部材２０の下面から更に下方に突出する部分が前面パネルユニット４０の背面に接近した際にその背面から先端部が突出するレバー部５６ｂに突き当たるようになっている。
【００３５】
このような構造のディスク装置において、先端部にて表示パネルユニット１０を略水平状態にて支持する可動支持部材２０が収納筐体の奥方から前方に向けて進出する過程で、可動支持部材２０と一体的に移動するカムブロック２１０が前面パネルユニット４０の背面に当接すると、図１１及び図１２に示すように、前面パネルユニット４０の背面から突出する従動カムブロック５６のレバー部５６ｂがカムブロック２１０により前面パネルユニット４０の内方に押し込まれ、従動カムブロック５６が軸４５を中心にして回動させられる。その結果、図１１（ｂ）（図１１（ａ）のＡ５部の拡大図）に示すように、従動カム部材５６と同軸（軸４５）となる上面板部４２が回動して（図１２も参照）その先端部が前面パネルユニット４０と可動支持部材２０との間の隙間Ｓに突出する拡開位置となる。
【００３６】
これにより、上面板部４２及び下面板部４３にて形成される導入路４４前面のディスク挿入口４１が拡開する。この状態で、更に可動支持部材２０が進出すると、図１３（ｂ）（図１３におけるＡ６部の拡大図）に示すように、前面パネルユニット４０の背面に当接して移動の阻止されたカムブロック２１０が、Ｃ１方向に進出する可動支持部材２０に形成された溝部２７をスプリング２２による付勢力に抗してＣ２方向に摺動する。これにより、導入路４４を形成する上面板部４２が拡開位置に維持されつつ可動支持部材２０が進出していく。そして、可動支持部材２０が収納筐体１００の前方所定位置に達すると、図１３（ａ）及び図１４に示すように、可動支持部材２０の先端部に回動自在に支持された表示パネルユニット１０が回動して表示画面１０ａを前方に向けた起立状態となる。
【００３７】
このようにして表示パネルユニット１０が起立状態になると、前述した第１の実施の形態と同様に、導入路４４の上面板部４２が拡開位置となってディスク挿入口４１が拡開された状態となるので（図１３（ｂ）、図１４（ｂ）参照）、利用者が誤ってディスクを前面パネルユニット４０と表示パネルユニット１０の下端部（可動支持部材２０）との間の隙間Ｓに挿入しようとしても、そのディスクは上面板部４２に沿って導入路４４をディスクドライブメカユニット３０に向けて進み、適正にディスクドライブメカユニット３０にセットされるようになる。
【００３８】
なお、前述した各実施の形態において、表示パネルユニット１０が起立状態になった後に、表示パネルユニット１０の前後方向の位置調整を行なうために、可動支持部材２０が前後方向に僅かに進退動させられる際にも、スプリング２２によってカムブロック２１（２１０）が前方に付勢されているので、上面板部４２は拡開位置に維持される。即ち、ディスク挿入口４１は拡開した状態に維持される。
【００３９】
また、前述した各実施の形態では、表示パネルユニット１０が起立状態になる前に導入路４４を形成する上面板部４２が拡開位置に回動させられるようになっていたが（図６、図１１参照）、表示パネルユニット１０が起立状態になる過程あるいは、起立状態になった後に上面板部４２が拡開位置に回動させられるようにすることもできる。
【００４０】
また、前述した各実施の形態では、記録媒体としてディスクを使用し、記録媒体装填部としてディスクドライブメカユニット３０を設けた例を示したが、半導体メモリカードや着脱式のハードディスクドライブを記録媒体として使用し、この記録媒体が接続されるコネクタユニットを記録媒体装填部として設置することも可能である。
【産業上の利用可能性】
【００４１】
以上、説明したように、本発明に係る情報再生装置は、前面パネルユニットの前方かつ上方にて表示パネルユニットが起立状態となっている際に、記録媒体を前面パネルユニットに形成された記録媒体挿入口に確実にかつ容易に挿入することのできるという効果を有し、前記前面パネルユニットの上方に所定の隙間をもって当該収納筐体から前方に進出可能となる可動支持部材と、該可動支持部材に回動自在に支持された表示パネルユニットとを有し、前記可動支持部材と共に前記収納筐体から前方に進出する表示パネルユニットを回動させて起立状態にして使用するようにした情報再生装置として有用である。
【図面の簡単な説明】
【００４２】
【図１】本発明の第１の実施の形態に係るディスク装置を示す平面図（ａ）及び正面図（ｂ）である。
【図２】本発明の第１の実施の形態に係るディスク装置の側方断面図（ａ）及びそのＡ１部の拡大図（ｂ）である。
【図３】導入路を構成する上面板部の回動機構を示す背面図（ａ）、可動支持部材におけるカムブロックの配置構成を示す側断面図（ｂ）及び可動支持部材におけるカムブロックの配置構成を示す縦断面図（ｃ）である。
【図４】カムブロックが従動カム部材に当接した状態でのディスク装置を示す縦断面図（ａ）及びそのＡ２部の拡大図（ｂ）である。
【図５】カムブロックが従動カム部材に当接した状態での上面板部の回動機構を示す背面図である。
【図６】表示パネルユニットが起立状態となった状態でのディスク装置を示す縦断面図（ａ）及びそのＡ３部の拡大図（ｂ）である。
【図７】表示パネルユニットが起立状態となった状態でのディスク装置を示す平面図（ａ）及び正面図（ｂ）である。
【図８】本発明の第２の実施の形態に係るディスク装置を示す平面図（ａ）及び正面図（ｂ）である。
【図９】本発明の第２の実施の形態に係るディスク装置を示す側断面図（ａ）及びそのＡ４部の拡大図（ｂ）である。
【図１０】導入路を構成する上面板部の回動機構を示す背面図である。
【図１１】カムブロックが従動カム部材に当接した状態でのディスク装置を示す側断面図（ａ）及びそのＡ５部の拡大図である。
【図１２】カムブロックが従動カム部材に当接した状態での上面板部材の回動機構を示す背面図である。
【図１３】表示パネルユニットが起立状態となった状態でのディスク装置を示す側断面図（ａ）及びそのＡ６部の拡大図である。
【図１４】表示パネルユニットが起立状態となった状態でのディスク装置を示す平面図（ａ）及び正面図（ｂ）である。
【符号の説明】
【００４３】
１０  表示パネルユニット
１０ａ  表示画面
２０  可動支持部材
２１，２１０  カムブロック
２２  スプリング
２３，２４  長孔
２５，２６  支持プレート
２７  溝部
３０  ディスクドライブメカユニット（記録媒体装填部）
４０  前面パネルユニット（ノーズ部）
４１  ディスク挿入口（記録媒体挿入口）
４２  上面板部
４３  下面板部
４４  導入路
４５  軸
４６  従動カム部材
４７  捩りバネ
５６  従動カム部材
５６ａ  装着部
５６ｂ  レバー部
【図１】
2007058971.tif 000003
【図２】
2007058971.tif 000004
【図３】
2007058971.tif 000005
【図４】
2007058971.tif 000006
【図５】
2007058971.tif 000007
【図６】
2007058971.tif 000008
【図７】
2007058971.tif 000009
【図８】
2007058971.tif 000010
【図９】
2007058971.tif 000011
【図１０】
2007058971.tif 000012
【図１１】
2007058971.tif 000013
【図１２】
2007058971.tif 000014
【図１３】
2007058971.tif 000015
【図１４】
2007058971.tif 000016